(57)【要約】      （修正有）【課題】フロントフレームを開くときに、表示物の表面又はその表面に配したアクリル板に傷をつけることなく、而も特殊な道具を用いなければ簡単には開くことができないようにする。【解決手段】ベースフレーム２の軸部８に、フロントフレーム９の抱持部１３を嵌合し、該フロントフレーム９を内外方向に回動自在とする。フロントフレーム９は内端部１０と外端部１１を本体部分１２に対して軸断面ハの字形になるよう折曲する。フロントフレーム９の抱持部１３の内側部分に断面直角形状のカム１３ａを形成する。ベースフレーム２の表示物の外縁部を受ける受片５とフロントフレーム９の抱持部１３との間に拡圧ばね体１４を縮設する。ベースフレーム２を連結金具１５をもって矩形に枠組みする。フロントフレーム９における外側部分１１の折曲基部に斜め内方に向かう所要深さの凹部１１Ａを形成する。【選択図】図１
2008119340.tif 000002
【特許請求の範囲】
【請求項１】
裏面壁の内側端に表示物の背面を受ける受片を突設し、該表示物の背面を受ける受片の基部に、直角に表示物の外縁部を受ける受片を突設すると共に該表示物の外縁部を受ける受片の高さ方向の所要の位置に該受片と平行な突片を形成し、更に裏面壁の外側端に外側壁を直角に突設し、該外側壁の上端部に断面円形の軸部を連成してなるベースフレームと、内端部と外端部を本体部分に対して軸断面ハの字形になるように折曲形成し、内端部分を表示物の前面を受ける受片となす一方、外端部分に前記ベースフレームの軸部を摺動自在に嵌合する抱持部を設けて該軸部を支点として内外方向に回動自在とし、更に拡圧ばね体の弾力により死点を境に開閉いずれにも附勢され、クリックモーションを行うようになしたフロントフレームと、連結金具とからなり、前記ベースフレームを前記連結金具をもって矩形に枠組みしてなる前面開放式額縁において、前記フロントフレームにおける外端部分の折曲基部に斜め内方に向かう所要深さの凹部を形成し、一枚の金属板を、先端部を鉤形に折曲して前記フロントフレームの凹部内への差し込み片とし、後端側を先端部と反対側に折曲して摘み片とする特殊な道具を用いて開放するようになしたことを特徴とする前面開放式額縁。
【発明の詳細な説明】
【技術分野】
【０００１】
本発明は前面から絵画やポスター等の表示物を出し入れすることができるようになした前面開放式額縁に関するものである。
【背景技術】
【０００２】
前面から、絵画やポスター等の表示物を出し入れすることができるようにすれば、壁面に常時取り付けたままにしておき、絵画やポスター等の表示物を取り替えるときには一々額縁を壁面から取り外すことなく行えるので、作業が捗る。また、表示物の着脱もスピーディーに行うことができる。これらのことから従来においても前面開放式額縁が実用に供されている。
【０００３】
しかし、斯かる従来の前面開放式額縁には大きな問題点がある。それは、本来前面からスピーディーに表示物の脱着ができるということが利点であった筈であるが、これが逆に災いして、絵画やポスター等の表示物の盗難に遭い易いという点である。
【０００４】
そしてまた、この点を考慮して、従来においても指先で簡単にフロントフレームを開くことができないようになしたものも案出されている。それは図９乃至図１２に示した前面開放式額縁である。
【０００５】
該前面開放式額縁１００は、裏面壁１０２の内側端に表示物の背面を受ける受片１０３を突設し、該表示物の背面を受ける受片１０３の基部に、直角に表示物の外縁部を受ける受片１０４を突設すると共に該表示物の外縁部を受ける受片１０４の高さ方向の所要の位置に該受片１０３と平行な突片１０５を形成し、更に裏面壁１０２の外側端に外側壁１０６を直角に突設し、該外側壁１０６の上端部に断面円形の軸部１０７を連成してなるベースフレーム１０１と、内端部１１０と外端部１１１を本体部分１０９に対して軸断面ハの字形になるように折曲形成し、内端部分１１０を表示物の前面を受ける受片となす一方、外端部分１１１に前記ベースフレーム１０１の軸部１０７を摺動自在に嵌合する抱持部１１２を設けて該軸部１０７を支点として内外方向に回動自在とし、更に拡圧ばね体１１３の弾力により死点を境に開閉いずれにも附勢され、クリックモーションを行うようになしたフロントフレーム１０８と、連結金具（図示せず。）とからなり、前記ベースフレーム１０１を前記連結金具をもって矩形に枠組みしてなるものである。尚、図中Ｐは絵画、ポスター等の表示物を示す。
【０００６】
斯かる前面開放式額縁１００は、上記の如くフロントフレーム１０８が、その内端部１１０と外端部１１１を本体部分１０９に対して軸断面ハの字形になるよう折曲形成しているから、図１０に示す如く、表示物の前面を受ける受片となる内端部分１１０を指先でこじ開けようとしても滑って開くことができない。したがって、絵画、ポスター等の表示物Ｐの盗難を防止することができる。
【０００７】
しかし、斯かる前面開放式額縁１００にあっては、上記の如く指先で簡単にこじ開けることができないようになしたことから、絵画、ポスター等の表示物の交換に当たって、これを開くためには特殊な道具を用いる必要がある。その道具１１４は、図１１及び図１２に示す如く、棒状体１１５の先端１１６をフロントフレーム１０８の外端部１１１に沿って折曲すると共に、該先端１１６からフロントフレーム１０８の幅と同程度の間隔をとってこじ開け片１１７を直角に突設し、更に該こじ開け片１１７の先端部分１１７ａを楔状に尖らせて先端１１６側に向けて斜めに折曲してなるものである。
【０００８】
そして、斯かる道具１１４は、これを用いてフロントフレーム１０８を開くときには、図１１に示す如く、こじ開け片１１７の楔状の先端部分１１７ａをフロントフレーム１０８の内端部分１１０と表示物Ｐとの間にこじ入れ、その後図１２に示す如く棒状体１１５を上側に回すことによって行うものである。
【０００９】
しかし、斯かる道具１１４を用いる場合には、上記の如く、フロントフレーム１０８を開くとき、必ず、先ずこじ開け片１１７の楔状の先端部分１１７ａをフロントフレーム１０８の内端部分１１０と表示物Ｐ又はその表面に配したアクリル板との間にこじ入れなければならず、このとき表示物Ｐの表面又はその表面に配したアクリル板に傷をつけるという問題点がある。
【発明の開示】
【発明が解決しようとする課題】
【００１０】
本発明は上記の点に鑑みなされたものであって、指先で簡単にフロントフレームを開くことができないようになした構成において、フロントフレームを開くときに、絵画、ポスター等の表示物の表面又はその表面に配したアクリル板に傷をつけることなく、而も特殊な道具を用いなければ簡単には開くことができないようになした前面開放式額縁を提供せんとするものである。
【課題を解決するための手段】
【００１１】
而して、本発明の要旨とするところは、裏面壁の内側端に表示物の背面を受ける受片を突設し、該表示物の背面を受ける受片の基部に、直角に表示物の外縁部を受ける受片を突設すると共に該表示物の外縁部を受ける受片の高さ方向の所要の位置に該受片と平行な突片を形成し、更に裏面壁の外側端に外側壁を直角に突設し、該外側壁の上端部に断面円形の軸部を連成してなるベースフレームと、内端部と外端部を本体部分に対して軸断面ハの字形になるように折曲形成し、内端部分を表示物の前面を受ける受片となす一方、外端部分に前記ベースフレームの軸部を摺動自在に嵌合する抱持部を設けて該軸部を支点として内外方向に回動自在とし、更に拡圧ばね体の弾力により死点を境に開閉いずれにも附勢され、クリックモーションを行うようになしたフロントフレームと、連結金具とからなり、前記ベースフレームを前記連結金具をもって矩形に枠組みしてなる前面開放式額縁において、前記フロントフレームにおける外端部分の折曲基部に斜め内方に向かう所要深さの凹部を形成し、一枚の金属板を、先端部を鉤形に折曲して前記フロントフレームの凹部内への差し込み片とし、後端側を先端部と反対側に折曲して摘み片とする特殊な道具を用いて開放するようになしたことを特徴とする前面開放式額縁にある。
【発明の効果】
【００１２】
本発明は上記の如き構成であり、指先で簡単にフロントフレームを開くことができないようになした構成において、フロントフレームを開くときに、絵画、ポスター等の表示物の表面又はその表面に配したアクリル板に傷をつけることなく、而も特殊な道具を用いなければ簡単には開くことができないようにすることができるものである。
【発明を実施するための最良の形態】
【００１３】
本発明を実施するための最良の形態は、裏面壁の内側端に表示物の背面を受ける受片を突設し、該表示物の背面を受ける受片の基部に、直角に表示物の外縁部を受ける受片を突設すると共に該表示物の外縁部を受ける受片の高さ方向の所要の位置に該受片と平行な突片を形成し、更に裏面壁の外側端に外側壁を直角に突設し、該外側壁の上端部に断面円形の軸部を連成してなるベースフレームと、内端部と外端部を本体部分に対して軸断面ハの字形になるように折曲形成し、内端部分を表示物の前面を受ける受片となす一方、外端部分に前記ベースフレームの軸部を摺動自在に嵌合する抱持部を設けて該軸部を支点として内外方向に回動自在とし、更に拡圧ばね体の弾力により死点を境に開閉いずれにも附勢され、クリックモーションを行うようになしたフロントフレームと、連結金具とからなり、前記ベースフレームを前記連結金具をもって矩形に枠組みしてなる前面開放式額縁において、前記フロントフレームにおける外端部分の折曲基部に斜め内方に向かう所要深さの凹部を形成し、一枚の金属板を、先端部を鉤形に折曲して前記フロントフレームの凹部内への差し込み片とし、後端側を先端部と反対側に折曲して摘み片とする特殊な道具を用いて開放するようになしたことにある。
【実施例】
【００１４】
以下、本発明の実施例について説明する。
図１は一部省略して示した本発明の実施例の斜視図、図２はベースフレームとフロントフレームの側面図、図３は同平面図、図４は同底面図、図５はフロントフレームを開いた状態のベースフレームとフロントフレームの側面図、図６はフロントフレームの開き具の斜視図、図７及び図８はフロントフレーム開き具を用いた開放操作の説明図である。
【００１５】
本発明の実施例に係る前面開放式額縁１は、裏面壁３の内側端に表示物の背面を受ける受片４を突設し、該表示物の背面を受ける受片４の基部に、直角に表示物の外縁部を受ける受片５を突設すると共に該表示物の外縁部を受ける受片５の高さ方向の所要の位置に該受片５と平行な突片６を形成し、更に裏面壁３の外側端に外側壁７を直角に突設し、該外側壁７の上端部に断面円形の軸部８を連成してなるベースフレーム２と、内端部１０と外端部１１を本体部分１２に対して軸断面ハの字形になるように折曲形成し、内端部分１０を表示物の前面を受ける受片となす一方、外端部分１１に前記ベースフレーム２の軸部８を摺動自在に嵌合する抱持部１３を設けて該軸部８を支点として内外方向に回動自在とし、更に拡圧ばね体１４の弾力により死点を境に開閉いずれにも附勢され、クリックモーションを行うようになしたフロントフレーム９と、連結金具１５とからなり、前記ベースフレーム２を前記連結金具１５をもって矩形に枠組みしてなるものである。また、前記フロントフレーム９における内端部１０の先端には、表示物Ｐとの当たりをやわらげるための緩衝体１０ａを取り付けている。
【００１６】
また、本実施例によれば、フロントフレーム９における抱持部１３の内側部分に断面直角形状のカム１３ａを形成し、該抱持部１３とベースフレーム２における受片５との間に、適宜の弾性を有する板を平面長円形に形成してなる拡圧ばね体１４を縮設している。尚、拡圧ばね体としては、図示したものに限定されるものではなく、板ばねを断面Ｍ字形に形成したもの等、その他適宜のものを採用可能である。
【００１７】
以上の構成は従来の前面開放式額縁と同様である。而して、本発明において特徴とする点は、前記フロントフレーム９における外端部分１１の折曲基部に斜め内方に向かう所要深さの凹部１１Ａを形成し、該凹部１１Ａに後記特殊な道具を差し込んで開くようにしたことにある。
【００１８】
而して、斯くの如く構成したことにより、後記特殊な道具を用いて、それの差し込み片をフロントフレーム９の該凹部１１Ａ内に差し込んで外方向に押し回せば、従来品の如く道具でこじ開ける必要がないから、絵画、ポスター等の表示物の表面又はその表面に配したアクリル板を傷つけることなく開くことができるものである。
【００１９】
また、前記特殊な道具１６は、一枚の金属板１６Ａを、先端部１６ａを鉤形に折曲して前記フロントフレーム９の凹部１１Ａ内への差し込み片とし、後端側１６ｂを先端部１６ａと反対側に折曲して摘み片とするものである。
【００２０】
そして、該道具１６を用いてフロントフレーム９を開く場合には、図７及び図８に示す如く、該道具１６の先端部１６ａの差し込み片をフロントフレーム９の凹部１１Ａ内に差し込み、後端側１６ｂの摘み片を摘んで外方向に押し回すものである。
【図面の簡単な説明】
【００２１】
【図１】一部省略して示した本発明の実施例の斜視図である。
【図２】ベースフレームとフロントフレームの側面図である。
【図３】ベースフレームとフロントフレームの平面図である。
【図４】ベースフレームとフロントフレームの底面図である。
【図５】フロントフレームを開いた状態のベースフレームとフロントフレームの側面図である。
【図６】フロントフレーム開き具の斜視図である。
【図７】フロントフレーム開き具を用いた開放操作の説明図であり、開く前の状態を示すものである。
【図８】フロントフレーム開き具を用いた開放操作の説明図であり、開いた状態を示すものである。
【図９】従来の前面開放式額縁の正面図である。
【図１０】図９におけるＡ−Ａ線断面の拡大図である。
【図１１】従来の前面開放式額縁における開放操作の説明図であり、開く前の状態を示すものである。
【図１２】従来の前面開放式額縁における開放操作の説明図であり、開いた状態を示すものである。
【符号の説明】
【００２２】
１  前面開放式額縁
２  ベースフレーム
３  裏面壁
４  受片
５  受片
６  受片
７  外側壁
８  軸部
９  フロントフレーム
１０  フロントフレームの内端部
１０ａ  緩衝体
１１  フロントフレームの外端部
１１Ａ  凹部
１２  フロントフレームの本体部分
１３  抱持部
１４  拡圧ばね体
１５  連結金具
【図１】
2008119340.tif 000003
【図２】
2008119340.tif 000004
【図３】
2008119340.tif 000005
【図４】
2008119340.tif 000006
【図５】
2008119340.tif 000007
【図６】
2008119340.tif 000008
【図７】
2008119340.tif 000009
【図８】
2008119340.tif 000010
【図９】
2008119340.tif 000011
【図１０】
2008119340.tif 000012
【図１１】
2008119340.tif 000013
【図１２】
2008119340.tif 000014